(57)【要約】    【課題】      電子メール等の一方向通信においても送信先の映像表示機器の画面構成に適合するように画像又は動画画像を含むデータの表示サイズを変更できるデータ通信装置及びその方法、並びにそのデータ通信装置を含むデータ通信システムを提供すること。    【解決手段】  表示サイズ変更部１１５は、制御部１１２からの指示に従い、メモリ１１４から入力されてくる画像又は動画画像を含むデータを所定の表示サイズとなるように縮小する。このデータの表示サイズは、送信先からの電子メールのヘッダー項目等から自動的に抽出され、画面構成保存部１１３において送信先毎にテーブルにまとめられて保存される。  【選択図】      図１
2005084802.tif 000002
【特許請求の範囲】
【請求項１】
画像又は動画画像を含むデータを入力する入力手段と、
複数の送信先の画面構成を前記送信先毎に保存する画面構成保存手段と、
前記画面構成保存手段に保存された前記送信先毎の前記画面構成に応じて前記データの表示サイズを変更する表示サイズ変更手段と、
表示サイズを変更された前記データを前記送信先に送信する送信手段と、を具備することを特徴とするデータ通信装置。
【請求項２】
前記表示サイズ変更手段は、前記データを空間解像度スケーラビリティを備えるデータ構造に変換する、ことを特徴とする請求項１記載のデータ通信装置。
【請求項３】
前記表示サイズ変更手段は、前記データを複数の前記送信先に送信する場合に、複数の前記送信先の中から前記画面構成が最小の前記送信先を選択し、選択された前記送信先の前記画面構成に応じて前記データの表示サイズを変更する、ことを特徴とする請求項１記載のデータ通信装置。
【請求項４】
前記画面構成保存手段は、前記送信先毎の名前、前記送信先毎の電子メールアドレス、前記送信先毎の電話番号又は前記送信先毎の機種名と、前記送信先毎の画面構成と、を関連付けて保存する、ことを特徴とする請求項１記載のデータ通信装置。
【請求項５】
送信先の画面構成が記載された電子メールを受信する受信手段と、
画像又は動画画像を含むデータを入力する入力手段と、
前記電子メールに記載された画面構成を前記送信先毎に保存する画面構成保存手段と、
前記画面構成保存手段に保存された前記送信先毎の前記画面構成に応じて前記データの表示サイズを変更する表示サイズ変更手段と、
表示サイズを変更された前記データを前記送信先に送信する送信手段と、を具備することを特徴とするデータ通信装置。
【請求項６】
送信先の画面構成が記載された電子メールを受信する受信ステップと、
受信された前記電子メールから前記送信先の前記画面構成を抽出する抽出ステップと、
抽出された前記画面構成を前記送信先毎に保存する画面構成保存ステップと、
画像又は動画画像を含むデータを入力するデータ入力ステップと、
入力された前記データの前記送信先を選択する送信先選択ステップと、
選択された前記送信先の前記画面構成を、前記画面構成保存ステップにおいて保存された前記送信先毎の前記画面構成の中から取得する画面構成取得ステップと、
取得された前記送信先の前記画面構成に応じて前記データの表示サイズを変更する表示サイズ変更ステップと、
表示サイズを変更された前記データを電子メールに添付して前記送信先に送信する送信ステップと、を具備することを特徴とするデータ通信方法。
【請求項７】
複数の送信先の画面構成を前記送信先毎に保存する画面構成保存サーバと、
画像又は動画画像を含むデータを入力する入力手段と、前記画面構成保存サーバに保存された前記送信先毎の前記画面構成に応じて前記データの表示サイズを変更する表示サイズ変更手段と、前記送信先の前記画面構成を前記画面構成保存サーバに問い合わせ、かつ、表示サイズを変更された前記データを前記送信先に送信する送信手段と、を備えるデータ通信装置と、を具備することを特徴とするデータ通信システム。
【発明の詳細な説明】
【技術分野】
【０００１】
本発明は、携帯電話やＰＤＡ(Personal Digital Assistance)等の映像表示機器の比較的小さい送信先に対し、画像データ又は動画画像データを送信するデータ通信装置及びその方法、並びにその装置を含むデータ通信システムに関する。
【背景技術】
【０００２】
従来、ディジタルカメラで撮影した画像データの表示サイズは携帯電話の映像表示機器よりも大きいため、携帯電話では前記画像データの全体を表示できない問題がある。そこで、携帯電話の映像表示機器の画面構成に適応させるため、ディジタルカメラで撮影した画像データを携帯電話に送信するときに、その画像データの表示サイズを縮小する画像サイズ変換装置等が知られている（例えば、特許文献１参照）。
【特許文献１】特開２００３−１３４３３４号公報
【発明の開示】
【発明が解決しようとする課題】
【０００３】
しかしながら、特許文献１に記載の画像サイズ変換装置では、画像データを送信するに当たり、送信先である携帯電話と双方向通信を行って送信先の表示可能な画像サイズを都度確認する方法を採っている。従って、特許文献１に記載の画像サイズ変換装置では、電子メールのような一方向通信においては送信先の表示可能な画像データの表示サイズを確認できないことから、電子メールの送信に当たり添付する画像データの画像サイズを変更できない問題がある。
【０００４】
本発明はかかる点に鑑みてなされたものであり、電子メール等の一方向通信においても送信先の映像表示機器の画面構成に適合するように画像又は動画画像を含むデータの表示サイズを変更できるデータ通信装置及びその方法、並びにその装置を含むデータ通信システムを提供することを目的とする。
【課題を解決するための手段】
【０００５】
本発明に係るデータ通信装置は、画像又は動画画像を含むデータを入力する入力手段と、複数の送信先の画面構成を前記送信先毎に保存する画面構成保存手段と、前記画面構成保存手段に保存された前記送信先毎の前記画面構成に応じて前記データの表示サイズを変更する表示サイズ変更手段と、表示サイズを変更された前記データを前記送信先に送信する送信手段と、を具備する構成を採る。
【０００６】
この構成によれば、画面構成保存手段に複数の送信先の画面構成が予め保存されているため、電子メール等の一方向通信によって画像又は動画画像を含むデータを送信する場合でも、送信先の画面構成に適応した表示サイズのデータを送信することができる。
【０００７】
本発明に係るデータ通信装置は、前記発明において、前記表示サイズ変更手段は、前記データを空間解像度スケーラビリティを備えるデータ構造に変換する、構成を採る。
【０００８】
この構成によれば、前記発明による効果に加えて、画像又は動画画像を含むデータをＪＰＥＧ２０００のような空間解像度スケーラビリティを備えるデータ構造に変換するため、送信先が２以上の映像表示機器を備える場合に、アクティブな映像表示機器の画面構成に前記データの表示サイズを適合させることができる。
【０００９】
本発明に係るデータ通信装置は、前記発明において、前記表示サイズ変更手段は、前記データを複数の前記送信先に送信する場合に、複数の前記送信先の中から前記画面構成が最小の前記送信先を選択し、選択された前記送信先の前記画面構成に応じて前記データの表示サイズを変更する、構成を採る。
【００１０】
この構成によれば、前記発明による効果に加えて、複数の送信先の中から画面構成が最小の送信先を選択し、その選択された送信先の画面構成に適合するように画像又は動画画像を含むデータの表示サイズが変更されるため、電子メール等の一方向通信によって前記データを複数の送信先に送信する場合に、全ての送信先において前記データを確実に表示することができる。
【００１１】
本発明に係るデータ通信装置は、前記発明において、前記画面構成保存手段は、前記送信先毎の名前、前記送信先毎の電子メールアドレス、前記送信先毎の電話番号又は前記送信先毎の機種名と、前記送信先毎の画面構成と、を関連付けて保存する、構成を採る。
【００１２】
この構成によれば、前記発明による効果に加えて、送信先の画面構成がその送信先を特定するその他の情報と関連付けて保存されるため、データ通信装置の使用者は、送信先の画面構成を迅速、かつ、簡便に検索することができる。
【００１３】
本発明に係るデータ通信装置は、送信先の画面構成が記載された電子メールを受信する受信手段と、画像又は動画画像を含むデータを入力する入力手段と、前記電子メールに記載された画面構成を前記送信先毎に保存する画面構成保存手段と、前記画面構成保存手段に保存された前記送信先毎の前記画面構成に応じて前記データの表示サイズを変更する表示サイズ変更手段と、表示サイズを変更された前記データを前記送信先に送信する送信手段と、を具備する構成を採る。
【００１４】
この構成によれば、送信されてくる電子メールに送信先の画面構成が記載されているため、複数の送信先について、送信先毎の画面構成を自動的に保存することができる。
【００１５】
本発明に係るデータ通信方法は、送信先の画面構成が記載された電子メールを受信する受信ステップと、受信された前記電子メールから前記送信先の前記画面構成を抽出する抽出ステップと、抽出された前記画面構成を前記送信先毎に保存する画面構成保存ステップと、画像又は動画画像を含むデータを入力するデータ入力ステップと、入力された前記データの前記送信先を選択する送信先選択ステップと、選択された前記送信先の前記画面構成を、前記画面構成保存ステップにおいて保存された前記送信先毎の前記画面構成の中から取得する画面構成取得ステップと、取得された前記送信先の前記画面構成に応じて前記データの表示サイズを変更する表示サイズ変更ステップと、表示サイズを変更された前記データを電子メールに添付して前記送信先に送信する送信ステップと、を具備するようにした。
【００１６】
この方法によれば、送信されてくる電子メールに送信先の画面構成が記載されているため、複数の送信先について、送信先毎の画面構成を自動的に登録し保存することができると伴に、保存された送信先毎の画面構成を参照して画像又は動画画像を含むデータの表示サイズが変更されるため、そのデータの表示サイズを送信先の画面構成に確実に適応させることができる。
【００１７】
本発明に係るデータ通信システムは、複数の送信先の画面構成を前記送信先毎に保存する画面構成保存サーバと、画像又は動画画像を含むデータを入力する入力手段と、前記画面構成保存サーバに保存された前記送信先毎の前記画面構成に応じて前記データの表示サイズを変更する表示サイズ変更手段と、前記送信先の前記画面構成を前記画面構成保存サーバに問い合わせ、かつ、表示サイズを変更された前記データを前記送信先に送信する送信手段と、を備えるデータ通信装置と、を具備する構成を採る。
【００１８】
この構成によれば、データ通信装置が前記データの送信に先立って送信先の画面構成を画面構成保存サーバに問い合わせるため、データ通信装置と送信先とが初めて通信を行う場合であっても、データ通信装置は送信先の画面構成に応じて前記データの表示サイズを変更することができる。
【発明の効果】
【００１９】
本発明に係るデータ通信装置又はデータ通信方法によれば、画面構成保存部に予め保存された複数の送信先の画面構成に基づいて画像又は動画画像を含むデータの表示サイズが変更されるため、前記データを送信するに当たり、双方向通信による送信先の画面構成の事前確認が不要となることから、電子メール等の一方向通信であっても、送信先に前記データを確実に表示させることができる。
【発明を実施するための最良の形態】
【００２０】
本発明の骨子は、電子メール等の一方向通信において、画像又は動画画像を含むデータを送信するに当たり、予め送信先毎の画面構成を登録し保存しておき、その保存された画面構成を参照して前記データの表示サイズを変更することである。
【００２１】
以下、本発明の実施の形態について、図面を参照して詳細に説明する。
【００２２】
（実施の形態１）
図１に、本発明の実施の形態１に係るデータ通信装置１１０と、ネットワーク１２０と、送信先である通信端末装置１３１、１３２、１３３と、からなるデータ通信システムの構成を示す。
【００２３】
データ通信装置１１０は、データ入力部１１１、制御部１１２、画面構成保存部１１３、メモリ１１４、送信部１１６、受信部１１７及び映像表示機器１１８を具備する。また、制御部１１２は、表示サイズ変更部１１５を具備する。データ通信装置１１０は、その種類を特に限定されるものではく、例えば通信機能を具備するディジタルカメラやカメラ付携帯電話をデータ通信装置１１０として使用することができる。
【００２４】
データ入力部１１１は、外部から画像又は動画画像をデータとして取り込む機器であって、例えばＣＣＤカメラをデータ入力部１１１として使用することができる。
【００２５】
制御部１１２は、ＬＳＩやＣＰＵ等を具備する電子回路で構成され、予め組み込まれたロジックやデータ通信装置１１０の使用者の操作に従ってデータ通信装置１１０の動作を統括的に制御する。また、制御部１１２は、データ通信装置１１０の使用者の操作に応じて、電子メールのヘッダー、本文及びフッター等の電子メールメッセージを生成する。さらに、制御部１１２は、受信部１１７から入力されてくる通信端末装置１３１、１３２、１３３からの電子メールに記載された画面構成を抽出して、それらの画面構成を画面構成保存部１１３に登録する。
【００２６】
画面構成保存部１１３は、汎用の不揮発性メモリ等で構成され、送信先の名前、その電子メールアドレス、その電話番号及びその機種名と、送信先の画面構成と、を関連付けて、例えばテーブルとして保存する。図３に、このテーブルの具体例を示す。
【００２７】
また、画面構成保存部１１３は、制御部１１２からの問い合わせに応じて送信先の画面構成等を制御部１１２に回答する。
【００２８】
メモリ１１４は、汎用の不揮発性メモリ等で構成され、制御部１１２から入力されてくるデータを、通信端末装置１３１、１３２、１３３に送信するまで一時保持する。また、メモリ１１４は、制御部１１２からの指示に従い、保持するデータを表示サイズ変更部１１５に入力する。
【００２９】
表示サイズ変更部１１５は、汎用の画像用又は動画画像用のエンコーダで構成され、制御部１１２からの指示に従い、メモリ１１４から入力されてくるデータを所定の表示サイズとなるように符号化する。なお、表示サイズ変更部１１５は、ハードウェアエンコーダでもよいし、ソフトウェアエンコーダでもよい。
【００３０】
送信部１１６は、無線通信又は有線通信を問わず、制御部１１２から入力されてくる電子メールメッセージに、表示サイズ変更部１１５から入力されてくるデータを添付し、公知のパケット化処理等を施した後に、この電子メールを通信端末装置１３１、１３２、１３３に向けてネットワーク１２０上に送信する。
【００３１】
受信部１１７は、無線通信又は有線通信を問わず、通信端末装置１３１、１３２、１３３からネットワーク１２０を介して送信されてくる電子メールを受信し、受信された電子メールに公知の信号処理を施した後に、この電子メールを制御部１１２に入力する。
【００３２】
映像表示機器１１８は、液晶ディスプレイ等で構成され、制御部１１２からの指示に従い、データ入力部１１１から入力されてくるデータ又は通信端末装置１３１、１３２、１３３から送信されてくるデータを映像表示する。
【００３３】
ネットワーク１２０は、電子メールの伝送路であって、その種類を特に限定されるものではない。ネットワーク１２０としては、インターネットが例示される。
【００３４】
通信端末装置１３１、１３２、１３３は、データ通信装置１１０の送信先であり、電子メールの送受信が可能で、具備する映像表示機器によって画像又は動画画像を表示できるものである。また、通信端末装置１３１、１３２、１３３は、その画面構成が比較的小さく、ディジタルカメラ等による撮影画像の一般的な表示サイズ例えば６４０×３２０ピクセルをそのままでは表示できないものである。通信端末装置１３１、１３２、１３３の具体例としては、携帯電話やＰＤＡが例示される。
【００３５】
次いで、本実施の形態に係るデータ通信装置１１０の動作について、図２から図４を用いて説明する。図２は、データ通信装置１１０の動作の流れを示すフロー図である。
【００３６】
先ず、ステップＳＴ２１０では、送信先である通信端末装置１３１、１３２、１３３からネットワーク１２０を介して送信されてくる電子メールを受信部１１７によって受信する。受信された電子メールは、所定の信号処理を施された後に、制御部１１２に入力される。
【００３７】
ここで、本実施の形態で使用される電子メールの構成について、図４を用いて説明する。図４は、送信元である通信端末装置１３１、１３２、１３３の名前が「一郎」で、そのアドレスが「ichiro@ich.email.com」である電子メールメッセージの構成例である。この電子メールメッセージは、ヘッダー及び本文から成り、その本文にはテキストデータや画像データが添付される。一般的にヘッダーには、送信元アドレス、送信先アドレス、送信日時及びタイトルの各項目が記載されるが、本実施の形態ではさらに、「X-Terminal-ID: Pana6000」及び「X-Display-size: 120x160」の項目がヘッダーに追加される。この新たに追加された項目「X-Terminal-ID: Pana6000」は、送信元即ち通信端末装置１３１、１３２、１３３の機種名が「Pana6000」であることを示し、また「X-Display-size: 120x160」は、その画面構成が横１２０ピクセル、縦１６０ピクセルであることを示す。
【００３８】
図２に戻って、続いてステップＳＴ２２０では、受信部１１７から入力されてくる電子メールについて、制御部１１２によって送信元即ち通信端末装置１３１、１３２、１３３の画面構成等を記載したヘッダーの項目が抽出される。
【００３９】
続いて、ステップＳＴ２３０では、ステップＳＴ２２０において抽出された各項目の情報が、制御部１１２によって画面構成保存部１１３に登録される。なお、抽出された各項目の情報は、図３に示すテーブルにまとめられて画面構成保存部１１３に保存される。
【００４０】
ここで、ステップＳＴ２１０からステップＳＴ２３０までの各ステップは、通信端末装置１３１、１３２，１３３から電子メールが送信されてくる度に実行される。なお、既に画面構成保存部１１３に保存されている通信端末装置１３１、１３２，１３３についての情報は、再登録する必要はないものの、携帯電話の機種切替等によって登録内容に一部修正が必要な場合も生じることから、情報の信頼性を維持するために常時更新する方が好ましい。このようにして画面構成保存部１１３に保存された通信端末装置１３１、１３２、１３３それぞれの画面構成は、ステップＳＴ２４０以降の各ステップにおいて、画像又は動画画像の表示サイズを変更する際に使用される。
【００４１】
続いて、ステップＳＴ２４０では、メモリ１１４に一時保持されている複数の画像又は動画画像のデータの中から、データ通信装置１１０の使用者の操作によって送信されるデータが選択される。
【００４２】
続いて、ステップＳＴ２５０では、データ通信装置１１０の使用者の操作に従って制御部１１２が画面構成保存部１１３に保存されたテーブルを検索することにより、データの送信先が選択される。なお、データ通信装置１１０の使用者は、前記テーブルに記載された送信先の名前さえ確知していれば、その名前から送信先を選択することができる。
【００４３】
続いて、ステップＳＴ２６０では、ステップＳＴ２５０において選択された送信先の画面構成及び電子メールアドレス等が画面構成保存部１１３から制御部１１２に報告される。
【００４４】
続いて、ステップＳＴ２７０では、ステップＳＴ２４０において選択されたデータを表示サイズ変更部１１５に入力するように制御部１１２からメモリ１１４に指示が入力され、この指示に従ってメモリ１１４から表示サイズ変更部１１５に前記データが入力される。また、ステップＳＴ２６０において報告された送信先の画面構成が制御部１１２から表示サイズ変更部１１５に通知される。表示サイズ変更部１１５は、メモリ１１４から入力されてくるデータに対して、制御部１１２から通知された表示サイズとなるように公知のエンコードを施す。
【００４５】
続いて、ステップＳＴ２８０では、ステップＳＴ２５０において選択された送信先に対する電子メールメッセージが制御部１１２によって生成される。
【００４６】
続いて、ステップＳＴ２９０では、ステップＳＴ２８０において生成された電子メールメッセージが制御部１１２から送信部１１６に入力され、同時にステップＳＴ２７０においてエンコードされたデータが送信部１１６に入力される。そして、送信部１１６において、電子メールメッセージの本文にエンコードされたデータが添付されて電子メールの形態に整えられる。さらに、パケット化処理等の公知の信号処理が施された後に、この電子メールは、通信端末装置１３１、１３２、１３３を送信先としてネットワーク１２０上に送信される。
【００４７】
このように本実施の形態に係るデータ通信装置１１０によれば、複数の通信端末装置１３１、１３２、１３３の画面構成が予め画面構成保存部１１３に保存されているため、画像又は動画画像を含むデータを電子メールに添付して送信するに当たり、送信先となる通信端末装置１３１、１３２、１３３の画面構成に応じて前記データの表示サイズを変更することができる。従って、データ通信装置１１０は、双方向通信によって通信端末装置１３１、１３２、１３３の画面構成を都度確認しなくても、通信端末装置１３１、１３２、１３３に前記データを確実に表示させることができる。
【００４８】
また、本実施の形態に係るデータ通信装置１１０によれば、図３に示すテーブルのように通信端末装置１３１、１３２、１３３についての名前、電子メールアドレス、電話番号及び機種名とその画面構成とが関連付けて保存されるため、データ通信装置１１０の使用者は、送信先の画面構成を迅速、かつ、確実に検索し取得することができる。
【００４９】
また、本実施の形態に係るデータ通信装置１１０によれば、通信端末装置１３１、１３２、１３３から送信されてくる電子メールのヘッダー等のメッセージからその電子メールアドレスや画面構成が自動的に抽出されて画面構成保存部１１３のテーブルに保存されるため、通信端末装置１３１、１３２、１３３についての情報の信頼性を高めることができる。
【００５０】
なお、本実施の形態に係るデータ通信装置１１０について、以下のように応用したり、変形したりしてもよい。
【００５１】
本実施の形態では、通信端末装置１３１、１３２、１３３から電子メールが送信されてきたときに、画面構成保存部１１３のテーブルが自動的に更新される場合について説明したが、本発明はこの場合に限定されるものではなく、例えばデータ通信装置１１０の使用者の操作に基づいて前記テーブルを更新するようにしてもよい。このようにすれば、いわゆる迷惑メール等によって画面構成保存部１１３に保存されるテーブルが不用意に肥大化してしまうことを防止できる。
【００５２】
（実施の形態２）
図５に、本発明の実施の形態２において、通信端末装置１３１、１３２、１３３からデータ通信装置１１０に送信される電子メールメッセージの構成を示す。本実施の形態の電子メールメッセージは、実施の形態１の電子メールメッセージにおいて、ヘッダーの項目「X-Display-size: 120x160」が「X-Display-size: 240x320, 120x160」に変更されたものである。この変更された項目「X-Display-size: 240x320, 120x160」は、電子メールの送信元である通信端末装置１３１、１３２、１３３が、横２４０ピクセル、縦３２０ピクセルの画面構成からなる映像表示機器と、横１２０ピクセル、縦１６０ピクセルの画面構成からなる映像表示機器と、の２つの映像表示機器を具備することを示す。このような２つの映像表示機器を具備する通信端末装置１３１、１３２、１３３としては、折畳式の携帯電話が例示される。
【００５３】
上述の通り、本実施の形態は、２つの映像表示機器を具備する通信端末装置１３１、１３２、１３３を使用する点で実施の形態１と相違する。この点を除き、本実施の形態では、実施の形態１におけるデータ通信システムと同様の構成を採り、また同様の動作となる。従って、本実施の形態では、実施の形態１と重複する説明は省略し、前記相違に関する点についてのみ、その構成及び動作を説明する。
【００５４】
本実施の形態では、画面構成保存部１１３に保存される図３に示すテーブルの画面構成の欄に前記２つの映像表示機器の画面構成が併記される。そこで、表示サイズ変更部１１５は、前記テーブルに記載された複数の画面構成に適応できるデータフォーマットに前記データを変換する。このようなデータフォーマットとして、空間解像度スケーラビリティを備えるＪＰＥＧ２０００が例示される。ＪＰＥＧ２０００は、階層構造になっており、ベースレイヤと１つ以上のエンハンスメントレイヤとから構成される。具体的には、ベースレイヤが「１２０×１６０ピクセル」、エンハンスメントレイヤが「２４０×３２０ピクセル」と設定され、ＪＰＥＧ２０００の空間解像度スケーラビリティ方式によって前記２つのレイヤが圧縮合成される。
【００５５】
従って、本実施の形態によれば、送信先となる通信端末装置１３１、１３２、１３３において、１２０×１６０ピクセルの画面構成からなる映像表示機器がアクティブであるときには、エンハンスメントレイヤを復号することなくベースレイヤのみを復号することによって、一方で２４０×３２０ピクセルの画面構成からなる映像表示機器がアクティブであるときには、ベースレイヤとエンハンスメントレイヤとを復号することによって、アクティブである映像表示機器に常に高品質な映像を表示することができる。なお、２つの映像表示機器のどちらがアクティブであるか、ベースレイヤのみを復号するかエンハンスメントレイヤも復号するか、については、通信端末装置１３１、１３２、１３３が判断することになる。
【００５６】
なお、本実施の形態に係るデータ通信装置１１０について、以下のように応用したり、変形したりしてもよい。
【００５７】
本実施の形態では、画像又は動画画像のデータフォーマットとしてＪＰＥＧ２０００を使用する場合について説明したが、本発明はこの場合に限定されるものではなく、その他の空間解像度スケーラビリティを備えるデータフォーマットを使用してもよい。
【００５８】
また、本実施の形態では、通信端末装置１３１、１３２、１３３が２つの映像表示機器を具備する場合について説明したが、本発明はこの場合に限定されるものではなく、例えば通信端末装置１３１、１３２、１３３が３つ以上の映像表示機器を具備してもよい。３つ以上の映像表示機器を具備する通信端末装置１３１、１３２、１３３を使用するときには、それらの映像表示機器の画面構成に応じてＪＰＥＧ２０００のエンハンスメントレイヤを生成する必要がある。
【００５９】
また、本実施の形態では、通信端末装置１３１、１３２、１３３が全て２つの映像表示機器を具備する場合について説明したが、本発明はこの場合に限定されるものではなく、例えば具備される映像表示機器の数がそれぞれ異なる通信端末装置１３１、１３２、１３３が併用されてもよい。
【００６０】
（実施の形態３）
本発明に係る実施の形態３では、前記実施の形態２において空間解像度スケーラビリティを備えるデータフォーマットに変換された画像又は動画画像を含むデータを、複数の通信端末装置１３１、１３２、１３３に送信する。この点を除き、本実施の形態では、実施の形態２と同様の構成を採り、また同様の動作となる。従って、本実施の形態について、実施の形態２と重複する説明は省略し、実施の形態２と相違する動作についてのみ説明する。
【００６１】
本実施の形態では、画面構成保存部１１３に保存されるテーブルに記載された通信端末装置１３１、１３２、１３３の中から、ベースレイヤのみを復号したときに使用される映像表示機器の画面構成が最も小さいものが制御部１１２によって選択される。そして、選択された通信端末装置１３１、１３２、１３３の画面構成に適合するように、表示サイズ変更部１１５が画像又は動画画像を含むデータを空間解像度スケーラビリティを備えるデータフォーマットに変換する。即ち、本実施の形態では、ベースレイヤの表示サイズが通信端末装置１３１、１３２、１３３に具備されるいずれの映像表示機器にも収まるように設定される。
【００６２】
従って、本実施の形態によれば、空間解像度スケーラビリティを備えるデータフォーマットに変換された後の画像又は動画画像を含むデータについて、ベースレイヤのみを復号する場合には、通信端末装置１３１、１３２、１３３に具備されるどの映像表示機器によっても表示することができる。
【００６３】
（実施の形態４）
図６に、本発明の実施の形態４に係るデータ通信システムの構成を示す。本実施の形態に係るデータ通信システムは、図１に示す実施の形態１のデータ通信システムに画面構成保存サーバ６４０が追加されたものである。従って、本実施の形態に係るデータ通信システムの殆どの構成部は、図１に示す実施の形態１のデータ通信システムの構成部と同一の機能を発揮する。そのため、本実施の形態に係るデータ通信システムにおいて、このような同一の機能を発揮する構成部については、図１に示す実施の形態１のデータ通信システムの構成部と同一の参照符号を付してその説明を省略する。
【００６４】
画面構成保存サーバ６４０は、ネットワーク１２０を介してデータ通信装置１１０及び通信端末装置１３１、１３２、１３３と個別に電子メールの送受信等の通信を行う。画面構成保存サーバ６４０は、通信端末装置１３１、１３２、１３３と通信を行った際に、通信端末装置１３１、１３２、１３３それぞれの画面構成を抽出し、抽出された各画面構成を例えば図３に示すテーブルにまとめて保存する。また、画面構成保存サーバ６４０は、ネットワーク１２０を介して通信端末装置１３１、１３２、１３３の画面構成を問い合わせてくるデータ通信装置１１０に対して、所望の画面構成及びこの画面構成に関連付けられてテーブルに記載されたその他の情報を提供する。
【００６５】
従って、本実施の形態に係るデータ通信システムによれば、データ通信装置１１０が画像又は動画画像を含むデータを電子メール等の一方向通信によって送信する前に、送信先の画面構成を画面構成保存サーバに問い合わせるため、画面構成保存部１１３に目的の送信先の画面構成が保存されていない場合でも、送信先となる通信端末装置１３１、１３２、１３３の画面構成に応じて前記データの表示サイズを適宜変更することができる。
【００６６】
なお、本実施の形態では、データ通信装置１１０が画面構成保存部１１３を具備する場合について説明したが、本発明はこの場合に限定されるものではなく、例えばデータ通信装置１１０が画面構成保存部１１３を具備することなく、通信端末装置１３１、１３２、１３３に電子メールを送信するに先立ってその都度、画面構成保存サーバ６４０に送信先の画面構成を問い合わせるようにしてもよい。このようにすれば、データ通信装置１１０の構成をさらに簡素化することができる。
【産業上の利用可能性】
【００６７】
本発明に係るデータ通信装置、データ通信方法及びデータ通信システムは、電子メール等の一方向通信において送信先に画像又は動画画像を含むデータを確実に表示させることができるという効果を有し、携帯電話やＰＤＡ等の映像表示機器の比較的小さい通信端末装置に電子メール等を送信するデータ通信装置及びその電子メール等を用いるデータ通信方法、並びにそのデータ通信装置を含むデータ通信システム等として有用である。
【図面の簡単な説明】
【００６８】
【図１】本発明の実施の形態１におけるデータ通信システムの構成を示すブロック図
【図２】本発明の実施の形態１に係るデータ通信装置の動作を示すフロー図
【図３】本発明における複数の送信先の画面構成等を記載したテーブルを示す図
【図４】本発明の実施の形態１で使用される電子メールメッセージの構成を示す図
【図５】本発明の実施の形態２、３で使用される電子メールメッセージの構成を示す図
【図６】本発明の実施の形態４に係るデータ通信システムの構成を示すブロック図
【符号の説明】
【００６９】
１１０  データ通信装置
１１１  データ入力部
１１２  制御部
１１３  画面構成保存部
１１４  メモリ
１１５  表示サイズ変更部
１１６  送信部
１１７  受信部
１１８  映像表示機器
１２０  ネットワーク
１３１、１３２、１３３  通信端末装置
６４０  画面構成保存サーバ
【図１】
2005084802.tif 000003
【図２】
2005084802.tif 000004
【図３】
2005084802.tif 000005
【図４】
2005084802.tif 000006
【図５】
2005084802.tif 000007
【図６】
2005084802.tif 000008